(57)【要約】【課題】  自動車の運転者が運転しながらであっても駐車場を簡単に検索し、駐車場の予約を完了させることが可能な技術を提供する。【解決手段】  駐車場管理サーバへ駐車場の検索指示データを送信する検索指示データ送信手段と、  駐車可能な駐車場の候補データを受信する候補データ受信手段と、  候補データを地図データとともに画面出力する候補データ出力手段と、  候補データから運転者が選択した駐車場に係る予約データを送信する予約データ送信手段と、駐車場管理サーバから予約完了データを受信する予約完了受信手段と、  駐車場までのナビゲーションを出力する駐車ナビ手段と、を備えた車載端末である。  前記の検索指示データには、車載ＧＰＳからの現在位置データを含める。【選択図】  図２
2018115909.tif 000002
【特許請求の範囲】
【請求項１】
位置データを取得する車載ＧＰＳを搭載した車両からの駐車場の予約を受け付ける駐車場管理サーバとの通信が可能な車載端末であって、
前記の駐車場管理サーバへ駐車場の検索指示データを送信する検索指示データ送信手段と、
その検索指示データを受信した前記の駐車場管理サーバから駐車可能な駐車場の候補データを受信する候補データ受信手段と、
前記の候補データを地図データとともに画面出力する候補データ出力手段と、
前記の候補データから運転者が選択した駐車場に係る予約データを送信する予約データ送信手段と、
その予約データを受信して予約手続きを完了させた前記の駐車場管理サーバから予約完了データを受信する予約完了受信手段と、
その予約完了受信手段が受信した予約完了データに基づいて予約完了に係る駐車場までのナビゲーションを出力する駐車ナビ手段と、を備え、
前記の検索指示データには、車載ＧＰＳからの現在位置データを含めることとし、
前記の駐車ナビ手段は、前記の車載ＧＰＳからの現在位置データを用いたナビゲーションを実行することとした車載端末。
【請求項２】
前記の候補データ受信手段が受信した候補データを音声出力する候補データ読上手段を備えた
請求項１に記載の車載端末。
【請求項３】
前記の車載端末は、カーナビゲーション装置とし、
そのカーナビゲーション装置に対して目的地が設定されている場合において、  前記の検索指示データには、その目的地を含めることとした
請求項１または請求項２のいずれかに記載の車載端末。
【請求項４】
車載端末から駐車場の予約を受け付ける駐車場管理サーバであって、
前記の車載端末から送信されてきた駐車場の検索指示データおよびその車載端末の位置データを受信する検索指示データ受信手段と、
その検索指示データ受信手段が受信した検索指示データおよび駐車場データベースに蓄積された駐車場データに基づいて駐車場の候補を検索する駐車場候補の検索手段と、
その駐車場候補の検索手段が検索した駐車場候補に係る駐車場候補データを前記の車載端末へ送信する駐車場候補データ送信手段と、
前記の駐車場候補データから選択された駐車場を特定するデータを含む予約データを前記の車載端末から受信する予約データ受信手段と、
その予約データに基づいて前記の駐車場データベースにおける駐車場データを更新することで予約処理を実行する予約データ処理手段と、
予約処理が完了した旨を前記の車載端末へ送信する予約完了送信手段と、
を備えた駐車場管理サーバ。
【請求項５】
前記の車載端末を搭載した車両がどのような車種であるかといった車種データを蓄積している車両管理データベースを備え、
前記の検索指示データには、車両を特定できる車両ＩＤを含み、
前記の駐車場候補の検索手段は、前記の車両ＩＤおよび前記の車両管理データベースを用いて前記の検索指示データに係る車両が駐車可能な駐車場を検索することとした
請求項４に記載の駐車場管理サーバ。
【請求項６】
位置データを取得する車載ＧＰＳを搭載した車両からの駐車場の予約を受け付ける駐車場管理サーバとの通信が可能な車載端末を制御するためのコンピュータプログラムであって、
前記の駐車場管理サーバへ車載ＧＰＳからの現在位置データを含めた駐車場の検索指示データを送信する検索指示データ送信手順と、
その検索指示データを受信した前記の駐車場管理サーバから駐車可能な駐車場の候補データを受信する候補データ受信手順と、
前記の候補データを地図データとともに画面出力する候補データ出力手順と、
前記の候補データから運転者が選択した駐車場に係る予約データを送信する予約データ送信手順と、
その予約データを受信して予約手続きを完了させた前記の駐車場管理サーバから予約完了データを受信する予約完了受信手順と、
その予約完了受信手順にて受信した予約完了データおよび車載ＧＰＳからの現在位置データに基づいて予約完了に係る駐車場までのナビゲーションを出力する駐車ナビ手順と、
を実行させることとしたコンピュータプログラム。
【請求項７】
前記の候補データ受信手順にて受信した候補データを音声出力する候補データ読上手順
を含むこととした請求項６に記載のコンピュータプログラム。
【請求項８】
位車載端末から駐車場の予約を受け付ける駐車場管理サーバを制御するためのコンピュータプログラムであって、
前記の車載端末から送信されてきた駐車場の検索指示データおよびその車載端末の位置データを受信する検索指示データ受信手順と、
その検索指示データ受信手順にて受信した検索指示データおよび駐車場データベースに蓄積された駐車場データに基づいて駐車場の候補を検索する駐車場候補の検索手順と、
その駐車場候補の検索手順にて検索した駐車場候補に係る駐車場候補データを前記の車載端末へ送信する駐車場候補データ送信手順と、
前記の駐車場候補データから選択された駐車場を特定するデータを含む予約データを前記の車載端末から受信する予約データ受信手順と、
その予約データに基づいて前記の駐車場データベースにおける駐車場データを更新することで予約処理を実行する予約データ処理手順と、
予約処理が完了した旨を前記の車載端末へ送信する予約完了送信手順と、
を実行させることとしたコンピュータプログラム。
【請求項９】
前記の駐車場管理サーバには、前記の車載端末を搭載した車両がどのような車種であるかといった車種データを蓄積している車両管理データベースを備えており、
前記の検索指示データには、車両を特定できる車両ＩＤを含み、
前記の駐車場候補の検索手順においては、前記の車両ＩＤおよび前記の車両管理データベースを用いて前記の検索指示データに係る車両が駐車可能な駐車場を検索することとした
請求項８に記載のコンピュータプログラム。
【発明の詳細な説明】
【技術分野】
【０００１】
本発明は、走行中の自動車から駐車場を検索し、駐車場を予約できるようにするための情報処理装置およびコンピュータプログラムに関する。
【背景技術】
【０００２】
特許文献１には、以下のような技術が開示されている。すなわち、カーナビゲーション装置を利用して空き駐車場案内及び誘導を行うと共に、ＥＴＣシステムを利用して、ＥＴＣカードの個人識別情報での認証による駐車場予約と駐車料金割引サービスを実現するための技術である。
【０００３】
特許文献２には、カーナビゲーション装置として、以下のような技術が開示されている。すなわち、カーナビゲーションシステムやＥＴＣ車載機を搭載したユーザ車両に対して、駐車場案内を含むエリア情報を供給することで、ユーザの要請に十分に応え得るナビゲーションを可能とする駐車場内案内システムなどが開示されている。
【先行技術文献】
【特許文献】
【０００４】
【特許文献１】特開２００５−２７５７１９号公報
【特許文献２】特開２００６−１３３０９０号公報
【発明の概要】
【発明が解決しようとする課題】
【０００５】
前述したように、駐車場を予約するシステムそのものは、技術的には提供可能となっている。しかし、運転者が運転しながら前述した技術にて駐車場を予約するのは、実現していないようである。
その理由として、検索結果として抽出または推薦された駐車場が、実際に利用できるのかどうか、といったことは、運転者が入力しなければならない情報が多くなるからであろう。たとえば、車高の高いリクレーショナル・ビークルが駐車できない駐車場もある。そのため、車両の車高サイズまたは車両のタイプなどを入力しなければならないこととなる。
その結果、運転者が運転しながら、そうした情報入力は困難であり、運転者が車両を停止させて情報入力を強いられる、それでは使い勝手が悪い、ということで普及していない、といったことが予見される。
【０００６】
運転者のほかに同乗者がいる場合には、同乗者が駐車場の専用サイトへ携帯端末を使って検索をする、という方法が使える。その場合、駐車場の空き状況、車両タイプによる可能不能、駐車料金などを確認できる。
しかし、運転者のみが運転しながら携帯端末を操作することは禁じられているので、その方法は使えない。また、いったん停車して運転者が携帯端末で検索をすることができたとしても、その携帯端末へ検索結果として出力される駐車場は、カーナビゲーションとは情報共有されていない。したがって、携帯端末へ検索結果を、カーナビゲーション装置へ入力しなおすか、検索結果の出た携帯端末をカーナビゲーションの代わりに用いるか、しかない。前者は操作がわずらわしいし、後者は社内で固定されていない携帯端末の出力画面を運転者が見ながら運転することに困難が伴う。
【０００７】
本発明が解決すべき課題は、自動車の運転者が運転しながらであっても最寄りの駐車場を簡単に検索し、駐車場の予約を完了させることが可能な技術を提供することにある。
【課題を解決するための手段】
【０００８】
前述した課題を解決するため、本願発明者は、車載端末およびその車載端末を制御するコンピュータプログラム、駐車場管理サーバおよびその駐車場管理サーバを制御するコンピュータプログラムを提供する。
【０００９】
（第一の発明）
第一の発明は、位置データを取得する車載ＧＰＳを搭載した車両からの駐車場の予約を受け付ける駐車場管理サーバとの通信が可能な車載端末に係る。
すなわち、前記の駐車場管理サーバへ駐車場の検索指示データを送信する検索指示データ送信手段と、
その検索指示データを受信した前記の駐車場管理サーバから駐車可能な駐車場の候補データを受信する候補データ受信手段と、
前記の候補データを地図データとともに画面出力する候補データ出力手段と、
前記の候補データから運転者が選択した駐車場に係る予約データを送信する予約データ送信手段と、
その予約データを受信して予約手続きを完了させた前記の駐車場管理サーバから予約完了データを受信する予約完了受信手段と、
その予約完了受信手段が受信した予約完了データに基づいて予約完了に係る駐車場までのナビゲーションを出力する駐車ナビ手段と、を備える。
前記の検索指示データには、車載ＧＰＳからの現在位置データを含めることとし、
前記の駐車ナビ手段は、前記の車載ＧＰＳからの現在位置データを用いたナビゲーションを実行することとした（図２参照）。
【００１０】
（用語説明）
「車載端末」とは、自動車に搭載され、駐車場管理サーバと運転者との双方向通信が可能であるように、公衆電話回線などを介してデータ通信が可能な端末である。たとえば、駐車場管理サーバとの通信用アプリケーションをインストールした携帯端末、多機能カーナビゲーション装置、などである。これらの車載端末は、出力画面と入力デバイスとを兼用しているタッチパネルであることが望ましい。
「検索指示データ」は、駐車場を探したい場所を、地名や住所地、ランドマークとなるような建物名、などを含む場合のほか、運転者による入力操作を少なくするために、以下のようにする。
すなわち、駐車場の検索を希望する地域が「所定の目的地」の近傍である場合には、その「目的地」を自動入力または半自動入力することとしてもよい。たとえば、「車載端末」が多機能カーナビゲーション装置であり、運転者がカーナビゲーション装置へ「目的地」を予め入力してから運転している場合には、その「目的地」と「現在位置」とを運転者へ提示し、どちらかを選択指定させれば目的地の入力が完了するようにソフトウェア処理を実行してもよい（図７参照）。
【００１１】
（作用）
運転者は、駐車場の検索指示データを検索指示データ送信手段が駐車場管理サーバへ送信する（運転者による最初の操作）。この検索指示データには、車載ＧＰＳからの現在位置データが含まれる。
その検索指示データを受信した前記の駐車場管理サーバは、駐車可能な駐車場の候補データを抽出し、車載端末へ送信する。送信された候補データは、候補データ受信手段が受信する。そして、その候補データを地図データとともに候補データ出力手段が画面出力する。
出力された画面を見た運転者は、その候補データから運転者が選択し、予約データを送信する（運転者による二度目の操作）。運転者が選択した駐車場に係る予約データは、予約データ送信手段が送信する。
その予約データを前記の駐車場管理サーバが受信し、予約手続きを完了させる。そして、予約完了データを車載端末へ送信する。送信された予約完了データは、予約完了受信手段が受信する。
その予約完了受信手段が受信した予約完了データおよび車載ＧＰＳからの現在位置データに基づいて、駐車ナビ手段が予約完了に係る駐車場までのナビゲーションを出力する。
【００１２】
前述したように、運転者は最小ならば二度の操作によって駐車場の検索依頼および駐車場の予約を完了することができる。
候補データ出力手段が出力する画面がタッチパネルを兼ねていれば、運転者はタッチ操作のみで最寄りの駐車場の検索依頼および駐車場の予約を完了することができる。
【００１３】
（第一の発明のバリエーション１）
第一の発明は、  前記の候補データ受信手段が受信した候補データを音声出力する候補データ読上手段を備えることとして提供すると、より好ましい。
候補データ読上手段によって音声出力がなされることで、運転者は運転動作に必要な視覚を使うことなく、駐車場の選択についての判断が可能となる。
【００１４】
（第一の発明のバリエーション２）
第一の発明は、以下のようにすることも可能である。
すなわち、  前記の車載端末は、カーナビゲーション装置とし、  そのカーナビゲーション装置に対して目的地が設定されている場合において、  前記の検索指示データには、その目的地を含めることとするのである。
検索指示データに「目的地」が含まれることで、運転者が欲する駐車場が目的地の近傍である場合、その入力操作を省略または簡易化することができる。
【００１５】
（第二の発明）
第二の発明は、車載端末から駐車場の予約を受け付ける駐車場管理サーバに係る。
すなわち、前記の車載端末から送信されてきた駐車場の検索指示データおよびその車載端末の位置データを受信する検索指示データ受信手段と、
その検索指示データ受信手段が受信した検索指示データおよび駐車場データベースに蓄積された駐車場データに基づいて駐車場の候補を検索する駐車場候補の検索手段と、
その駐車場候補の検索手段が検索した駐車場候補に係る駐車場候補データを前記の車載端末へ送信する駐車場候補データ送信手段と、
前記の駐車場候補データから選択された駐車場を特定するデータを含む予約データを前記の車載端末から受信する予約データ受信手段と、
その予約データに基づいて前記の駐車場データベースにおける駐車場データを更新することで予約処理を実行する予約データ処理手段と、
予約処理が完了した旨を前記の車載端末へ送信する予約完了送信手段と、
を備える（図２参照）。
【００１６】
（用語説明）
「駐車場管理サーバ」は、たとえば、カーシェアリング管理サーバ、レンタカー管理サーバなどであると、シェアカーまたはレンタカーを管理する車両管理データベースを備えている。
「駐車場データベース」は、駐車場管理サーバ内に備えていてもよいし（図１参照）、駐車場管理サーバがアクセス可能な外部に備えられていてもよい（図２，図３参照）。
【００１７】
（作用）
車載端末から送信されてきた駐車場の検索指示データおよびその車載端末の位置データを、検索指示データ受信手段が受信する。  その検索指示データ受信手段が受信した検索指示データおよび駐車場データベースに蓄積された駐車場データに基づいて駐車場の候補を、駐車場候補の検索手段が検索する。
その駐車場候補の検索手段が検索した駐車場候補に係る駐車場候補データを、駐車場候補データ送信手段が前記の車載端末へ送信する。  運転者が駐車場候補データから選択して予約の意思を表示した駐車場を特定するデータを含む予約データは、予約データ受信手段が車載端末から受信する。
その予約データに基づいて、予約データ処理手段は、駐車場データベースにおける駐車場データを更新することで予約処理を実行する。そして、予約処理が完了した旨を、予約完了送信手段が車載端末へ送信する。
駐車場管理サーバにおいては、運転者が操作することなく駐車場を検索している車両の位置データを得ることができる。
また、運転者としては、少ない操作によって、駐車場候補からの選択や、駐車場の予約完了を遂行できる。
【００１８】
（第二の発明のバリエーション）
第二の発明は、以下のように構成することもできる。
すなわち、  前記の車載端末を搭載した車両がどのような車種であるかといった車種データを蓄積している車両管理データベースを備え、
前記の検索指示データには、車両を特定できる車両ＩＤを含み、
前記の駐車場候補の検索手段は、前記の車両ＩＤおよび前記の車両管理データベースを用いて前記の検索指示データに係る車両が駐車可能な駐車場を検索することとしてもよい。
【００１９】
（用語説明）
「車両管理データベース」は、たとえばカーシェアリング運営組織がそのカーシェアリングに用いるシェアカー毎にその車種、貸し出し記録、現況などの情報をデータベースに備えている。したがって、車載端末からのデータが送信されてくれば、その車両ＩＤまたは車載端末のＩＤを車両管理データベースにて照合すれば車種が特定できる。
【００２０】
（作用）
検索指示データには車両を特定できる車両ＩＤが含まれているので、車両管理データベースにて照合することで車種が特定できる。特定された車種を用いて、駐車場候補の検索手段は、駐車場の候補を検索する。たとえば、車種によって駐車できない駐車場を候補として抽出することがない。
【００２１】
（第三の発明）
第三の発明は、  位置データを取得する車載ＧＰＳを搭載した車両からの駐車場の予約を受け付ける駐車場管理サーバとの通信が可能な車載端末を制御するためのコンピュータプログラムに係る。
そのコンピュータプログラムは、
前記の駐車場管理サーバへ車載ＧＰＳからの現在位置データを含めた駐車場の検索指示データを送信する検索指示データ送信手順と、
その検索指示データを受信した前記の駐車場管理サーバから駐車可能な駐車場の候補データを受信する候補データ受信手順と、
前記の候補データを地図データとともに画面出力する候補データ出力手順と、
前記の候補データから運転者が選択した駐車場に係る予約データを送信する予約データ送信手順と、
その予約データを受信して予約手続きを完了させた前記の駐車場管理サーバから予約完了データを受信する予約完了受信手順と、
その予約完了受信手順にて受信した予約完了データおよび車載ＧＰＳからの現在位置データに基づいて予約完了に係る駐車場までのナビゲーションを出力する駐車ナビ手順と、
を車載端末に実行させるものである。
【００２２】
（第三の発明のバリエーション）
第三の発明は、前記の候補データ受信手順にて受信した候補データを音声出力する候補データ読上手順
を含むこととすると、より好ましい。
【００２３】
（第四の発明）
第四の発明は、位車載端末から駐車場の予約を受け付ける駐車場管理サーバを制御するためのコンピュータプログラムに係る。
そのプログラムは、  前記の車載端末から送信されてきた駐車場の検索指示データおよびその車載端末の位置データを受信する検索指示データ受信手順と、
その検索指示データ受信手順にて受信した検索指示データおよび駐車場データベースに蓄積された駐車場データに基づいて駐車場の候補を検索する駐車場候補の検索手順と、
その駐車場候補の検索手順にて検索した駐車場候補に係る駐車場候補データを前記の車載端末へ送信する駐車場候補データ送信手順と、
前記の駐車場候補データから選択された駐車場を特定するデータを含む予約データを前記の車載端末から受信する予約データ受信手順と、
その予約データに基づいて前記の駐車場データベースにおける駐車場データを更新することで予約処理を実行する予約データ処理手順と、
予約処理が完了した旨を前記の車載端末へ送信する予約完了送信手順と、
を駐車場管理サーバに実行させるものである。
【００２４】
（第四の発明のバリエーション）
第四の発明は、以下のように形成することもできる。
すなわち、  前記の駐車場管理サーバには、前記の車載端末を搭載した車両がどのような車種であるかといった車種データを蓄積している車両管理データベースを備えることとする。
そして、前記の検索指示データには、車両を特定できる車両ＩＤを含み、
前記の駐車場候補の検索手順においては、前記の車両ＩＤおよび前記の車両管理データベースを用いて前記の検索指示データに係る車両が駐車可能な駐車場を検索することとしてもよい。
【００２５】
（コンピュータプログラムの発明）
第三および第四の発明に係るコンピュータプログラムは、記録媒体に格納して配布すること、および通信設備を介して送信することによって配布することが可能である。
【発明の効果】
【００２６】
本発明によれば、自動車の運転者が運転しながらであっても最寄りの駐車場を簡単に検索し、駐車場の予約を完了させることが可能な車載端末およびそれを制御するコンピュータプログラムを提供することができた。
また、自動車の運転者が運転しながらであっても最寄りの駐車場を簡単に検索し、駐車場の予約を完了させることが可能な駐車場管理サーバおよびそれを制御するコンピュータプログラムを提供することができた。
【図面の簡単な説明】
【００２７】
【図１】本願発明の第一の実施形態に係る構成を示すブロック図である。
【図２】本願発明の第二の実施形態に係る構成を示すブロック図である。
【図３】本願発明の第三の実施形態に係る構成を示すブロック図である。
【図４】本願発明の実施形態に係る多機能カーナビゲーション装置（車載端末）の出力画面を示す図である。
【図５】本願発明の実施形態に係る多機能カーナビゲーション装置（車載端末）の出力画面を示す図である。
【図６】本願発明の実施形態に係る多機能カーナビゲーション装置（車載端末）の出力画面を示す図である。
【図７】本願発明の実施形態に係る多機能カーナビゲーション装置（車載端末）の出力画面を示す図である。
【発明を実施するための形態】
【００２８】
本願発明を実施する形態（車載端末および駐車場管理サーバ）について、図１から図６を用いて説明する。また、運転者による操作を含めた車載端末および駐車場管理サーバにおける動作、ソフトウェアについても併せて説明する。
【００２９】
以下の実施形態においては、カーシェアリングサービスを前提として説明するが、本発明はカーシェアリングサービスに限らない。たとえば、レンタカーサービスでも提供可能である。
カーシェアリングを利用する利用者は、カーシェアリングの会員登録を済ませ、カーシェアリング用の自動車を確保している駐車場に出向いて直接利用する。または、携帯電話やパーソナルコンピュータを用いて利用予定の時間帯などを事前に連絡する予約制度を活用する。
【００３０】
（図１）
図１では、カーシェアリングサービスに用いる管理サーバに、駐車場の満空データなどを蓄積した駐車場データベースを備えた駐車場管理サーバと、その駐車場管理サーバおよびシェアカーの間で双方向通信をする車載端末としての多機能カーナビゲーション装置とを備えて構成される。
シェアカーには、ＧＰＳ（車載ＧＰＳ）が搭載されており、シェアカーの現在位置に関する位置データは、駐車場管理サーバにおける車両管理データベースへ随時蓄積される。  前記の管理サーバには、カーシェアリングの会員に関する管理データなどを蓄積した会員データベースも備えている。
【００３１】
多機能カーナビゲーション装置は、タッチパネルを備えており、その通信機能を介して送り込まれた各種のデータを用いての会員ユーザ（シェアカーの運転者）へのメッセージ表示や、会員ユーザの意思表示をタッチパネルによる入力の受付（サービス用ボタン表示）、その入力内容を管理サーバへの送信、などを行える。
【００３２】
多機能カーナビゲーション装置は、カーシェアリングによるシェアカーを運転中の会員ユーザが最寄りの駐車場を検索してその予約を完了させることができるように、駐車場管理サーバとの双方向通信を実行するため、以下のような機能（手段）を備える。
すなわち、駐車場管理サーバへ駐車場の検索指示データを送信する検索指示データ送信手段と、  その検索指示データを受信した前記の駐車場管理サーバから駐車可能な駐車場の候補データを受信する候補データ受信手段と、  前記の候補データを地図データとともに画面出力する候補データ出力手段と、  前記の候補データから運転者が選択した駐車場に係る予約データを送信する予約データ送信手段と、  その予約データを受信して予約手続きを完了させた前記の駐車場管理サーバから予約完了データを受信する予約完了受信手段と、  その予約完了受信手段が受信した予約完了データに基づいて予約完了に係る駐車場までのナビゲーションを出力する駐車ナビ手段と、候補データ受信手段が受信した候補データを音声出力する候補データ読上手段を備える。
前記の検索指示データには、車載ＧＰＳからの現在位置データを含める。
前記の駐車ナビ手段は、前記の車載ＧＰＳからの現在位置データを用いたナビゲーションを実行する。
【００３３】
一方の駐車場管理サーバは、カーシェアリングによるシェアカーを運転中の会員ユーザが最寄りの駐車場を検索してその予約を完了させることができるように、前記の多機能カーナビゲーション装置との双方向通信を実行するため、以下のような機能（手段）を備える。
すなわち、  前記の車載端末から送信されてきた駐車場の検索指示データおよびその車載端末の位置データを受信する検索指示データ受信手段と、  その検索指示データ受信手段が受信した検索指示データおよび駐車場データベースに蓄積された駐車場データに基づいて駐車場の候補を検索する駐車場候補の検索手段と、  その駐車場候補の検索手段が検索した駐車場候補に係る駐車場候補データを前記の車載端末へ送信する駐車場候補データ送信手段と、  前記の駐車場候補データから選択された駐車場を特定するデータを含む予約データを前記の車載端末から受信する予約データ受信手段と、  その予約データに基づいて前記の駐車場データベースにおける駐車場データを更新することで予約処理を実行する予約データ処理手段と、  予約処理が完了した旨を前記の車載端末へ送信する予約完了送信手段と、を備える。
【００３４】
前記したように、駐車場管理サーバには、車載端末（多機能カーナビゲーション装置）を搭載した車両がどのような車種であるかといった車種データを蓄積している車両管理データベースを備えている。一方、多機能カーナビゲーション装置から送信されてくる検索指示データには、車両を特定できる車両ＩＤを含んでいる。
したがって、  前記の駐車場候補の検索手段は、前記の車両ＩＤおよび前記の車両管理データベースを用いて前記の検索指示データに係る車両が駐車可能な駐車場を検索することが可能である。
【００３５】
（図４、図５、図６）
図４から図６を用いて、前述した多機能カーナビゲーション装置および駐車場管理サーバの動作について説明する。
【００３６】
（図４）
図４には、走行中のシェアカーにおける多機能カーナビゲーション装置の出力画面の一例を示している。ＧＰＳ機能に基づいて、地図表示およびその地図上におけるシェアカーの位置（車両の現在位置）が示されている。
また、タッチパネルボタンとして、「駐車場の予約」というボタンが出力画面の一部に出力されている。
【００３７】
シェアカーの運転手がその「駐車場の予約」というボタンをタッチすると、多機能カーナビゲーション装置からは、そのシェアカーの位置データおよび車両ＩＤ（そのシェアカーまたは多機能カーナビゲーション装置を個体識別するためのＩＤ）を含む駐車場の検索指示データが、通信ネットワークを介して駐車場管理サーバへ送信されるのである。
多機能カーナビゲーション装置から送信された検索指示データを受信した駐車場管理サーバが、駐車場データベースから、シェアカーの位置データの最寄りの駐車場を検索して抽出する。この際、車両ＩＤを用いて、車両管理データベースからシェアカーの車種を特定できるので、その車種が駐車可能な駐車場だけを抽出することができる。
【００３８】
（図５）
図５には、駐車場管理サーバが駐車場データベースを用いて抽出した駐車場に関するデータを、多機能カーナビゲーション装置へ送信した後、多機能カーナビゲーション装置が、その駐車場データを画面出力した状態を例示している。
ここでは、第一候補、第二候補、第三候補が、地図画面に表示されるが、第一候補、第二候補、第三候補ともタッチパネルボタンとなっている。また、複数の候補が出力された場合、その候補を並べ替えるためのタッチパネルボタンも用意されている。図５では、「料金の安い順」、「駐車しやすさ」などのボタンを例示している。
【００３９】
（図６）
図６Ａは、図５においてタッチパネルボタンとなっていた第一候補、第二候補、第三候補から、運転者が第一候補のタッチパネルボタンを運転者がタッチした場合、第一候補としての駐車場に関する詳細なデータがポップアップ表示された状態を示す。  住所、料金、利用可能時刻、駐車場のタイプ、駐車可能な車高サイズ、などが表示される。
また、このポップアップ表示の下の方には、「この駐車場を予約しますか？」という質問文と、「はい」および「いいえ」のタッチパネルボタンが用意されている。
【００４０】
図６Ｂは、図６Ａにおける「はい」のタッチパネルボタンを運転者がタッチした場合に表示される画面出力を示したものである。
この画面は所定時間が経過すると消去される。そして、予約された駐車場の場所が、多機能カーナビゲーション装置の目的地として自動設定され、ナビゲーションが開始される。
【００４１】
図中の説明では省略したが、図４から図６の画面出力に合わせた音声出力も実行される。これは、運転者が運転中の視認作業として、多機能カーナビゲーション装置の画面出力に注視しなくても良いようにするためである。
なお、図４から図６の画面出力を含め、多機能カーナビゲーション装置にて実行されるプログラムは、駐車場管理サーバ（または専用サーバ）から、予めダウンロードすることで実行可能としている。したがって、バージョンアップなどのメンテナンスも容易である。
【００４２】
（図２）
図２では、駐車場管理サーバが、駐車場データベースを内部に持たず、外部の駐車場データベースへアクセスする実施形態を示している。
図１でも図２でも同様であるが、シェアカーの現在位置に近い駐車場の位置のみを単に検索するのではなく、最新の満空データに基づいて、駐車可能な駐車場のみをシェアカーの運転者へ提供する。
【００４３】
（図３）
図３では、駐車場管理サーバが、車両管理データベース（駐車場データベースも）を内部に持たない実施形態を示している。すなわち、タイムリーな駐車場データを提供できる対象事業として、カーシェアリングサービスを対象とせず、より広い情報サービスを提供する場合である。
ただし、この駐車場管理サーバを利用できるようにするための、会員登録を予めしておく必要がある。また、カーナビゲーション装置（または携帯端末）へ所定のアプリケーションソフトウェアを予めダウンロードしておく必要もある。
【００４４】
図３に示す実施形態の場合、車種の特定が車載端末からはできないので、以下のような実現手段から選択する必要がある。
第一に、検索指示データを送信する際に、車種のタイプを特定するデータを含ませるやり方である。
第二に、図６（Ａ）に示すような駐車場の詳細データを運転者へ提供する際に、運転者の責任で選択させるやり方である。
第三に、前記の会員登録の際に、使用する車種を登録しておくやり方である。この実現手段が、第一および第二の実施形態に最も近いやり方で実現できる。
【００４５】
（図７）
図７に示すのは、図４に示した走行中のシェアカーにおける多機能カーナビゲーション装置の出力画面のバリエーションを示している。
駐車場の予約については、「現在位置の最寄」と「目的地の最寄」という２つのタッチパネルボタンが、出力画面の一部に出力されている。
シェアカーの運転手がその「目的地の最寄」というボタンをタッチすると、多機能カーナビゲーション装置へ運転者が予め入力しておいた「目的地」を指定し、そのシェアカーの車両ＩＤ（そのシェアカーまたは多機能カーナビゲーション装置を個体識別するためのＩＤ）を含む駐車場の検索指示データが、通信ネットワークを介して駐車場管理サーバへ送信される。
【００４６】
多機能カーナビゲーション装置から送信された検索指示データを受信した駐車場管理サーバは、駐車場データベースから、「目的地」の位置データの最寄りの駐車場を検索して抽出する。この際、車両ＩＤを用いて、車両管理データベースからシェアカーの車種を特定できるので、その車種が駐車可能な駐車場だけを抽出することができる。
【００４７】
前述してきた実施形態によれば、自動車の運転者が運転しながらであっても最寄りの駐車場を簡単に検索し、駐車場の予約を完了させることが可能な車載端末および駐車場管理サーバ、ならびに制御するコンピュータプログラムを提供することができた。
【産業上の利用可能性】
【００４８】
本願発明は、カーナビゲーション装置の製造業、カー名部ゲーションのウチのソフトウェア開発業、クルマへの情報提供をするサービス業、カーシェアリングやレンタカーのサービスを提供するサービス業、カーシェアリングやレンタカーのサービスを運用するためのソフトウェアを開発するソフトウェア開発業などにおいて、利用可能性を有する。
【図１】
2018115909.tif 000003
【図２】
2018115909.tif 000004
【図３】
2018115909.tif 000005
【図４】
2018115909.tif 000006
【図５】
2018115909.tif 000007
【図６】
2018115909.tif 000008
【図７】
2018115909.tif 000009